(57)【要約】【課題】吸着材に水蒸気を直接接触させることなく吸着材を加熱し、吸着した有機溶剤成分を脱着する方法として、回転吸着体を用いた連続吸脱着方式を採用し、再生ガス領域での酸素ガス濃度を限界酸素濃度よりも充分低く保ち、しかも効率的な効率的な吸脱着処理を行うことができるガス吸脱着処理装置を提供する。【解決手段】吸着体が、原ガス吸着領域、再吸着領域、第１再生領域、第２再生領域を、該記載順序で連続的又は問欠的に通過するように構成され、有機溶剤を含む原ガスを、原ガス吸着領域に導入し、吸看体に有機溶剤を吸着させ、第１再生領域において吸着体から脱着されたガスを凝縮器に導入して該脱着ガス中に含まれる有機溶剤を回収する吸脱着処理装置において、再吸着領域のガス排出側が前記第２再生領域に接続され、第２再生領域のガス排出側が再吸着領域に接続される循環ガス経路を形成し、第１再生領域の脱着ガスライン中に窒素を導入する。【選択図】図１
2005238046.tif 000002
【特許請求の範囲】
【請求項１】
吸着材を含有する吸着体が、少なくとも原ガス吸着領域、再吸着領域、第１再生領域、第２再生領域、冷却領域を有し、該記載順序で連続的又は間欠的に通過するように構成された吸脱着処理装置において、再吸着領域のガス排出側が冷却領域に接続され、冷却領域のガス排出側が第２再生領域に接続され、第２再生領域のガス排出側が再吸着領域に接続される循環ガス経路を形成すると共に、第１再生領域の脱着ガスライン中に窒素を導入することを特徴とするガス吸脱着処理装置。
【請求項２】
吸着体がハニカム状であることを特徴とする請求項１記載のガス吸脱着処理装置。
【請求項３】
吸着材が活性炭及び／又はゼオライトであることを特徴とする講求項２記載のガス吸脱着処理装置。
【請求項４】
前記原ガス吸着領域によって吸着される原ガス成分が可燃性の有機溶剤を含むことを特徴とする請求項１乃至３のいずれかに記載のガス吸脱着処理装置。
【発明の詳細な説明】
【技術分野】
【０００１】
本発明は、吸着体における吸着領域及ぴ再生領域を順次連続的に移動させっつ所定成分の有機溶剤の吸着及び脱着を行うガス吸・脱着処理装置に関し、詳細には有機溶剤の吸脱着処理を効率良く、安全に行うことのできるガス吸脱着処理装置に関するものである。
【背景技術】
【０００２】
従来から、各種工場から発生する有機溶剤ガスを活性炭等の吸着材を用いて吸着処理し、その後吸着材に水蒸気を吹き込むことにより吸着された成分を脱着、回収し、脱着によって再生された吸着材を再び吸着に供し、連続的に有機溶剤を吸脱着処理することが一般的に行われている。
【０００３】
しかしながら、脱着に水蒸気を用いる方法では脱着時に多量の水蒸気による凝縮水による廃水が生じたり、水蒸気との接触により回収成分の分解が促進されたりする間題点があり、従って、近年ではこのような水蒸気の直接吹き込み以外の脱着方法が望まれている。
【０００４】
脱着時に直接水蒸気吹き込まずに有機溶剤を回収する方法としては、活性炭等の吸着材層に埋め込められたシートヒーターを加熱すると同時に減圧操作を行って脱着する方法（バッチ式）と吸着部と脱着部との問で吸着材を循環させ、吸着と脱着を連続して行う方法（流動式）及び回転吸着体を用い、多段で吸脱着を行うことによって有機溶剤を濃縮回収する方法（連続式）がある。
【０００５】
ヒーター埋め込みのバッチ方式としては、例えば特許文献１、特許文献２及び特許文献３に開示されている。しかしながら、一般に吸着剤は多孔性で熱伝達が悪いために、このような間接加熱方法では脱着のための加熱に長時間を要する上に、均一な加熱が難しいのが通例であり、吸着材を迅速に加熱するためにはシートヒーターが多量に必要となり、吸着体のコストアップを招くという間題点があった。
【０００６】
また、流動方式は、例えば、特許文献４に球状活性炭を用いた多段流動床式の吸脱着方法及び装置が開示されている。しかしながら、本方式は球状活性炭が流動しながら吸着するためにパッチ式ほど排気濃度を低く抑えることができない。また、流動によって球状活性炭が磨耗、破砕し、破砕した活性炭くずが飛散するという問題点があった。
【０００７】
さらに、回転吸着体による連続方式では、図２や図３に示す吸着体が使用される。以下にその構成について詳細に説明する。
【０００８】
図２に示す吸着体１は円筒状に形成され、軸芯と交差する方向（半径方向）に隔壁２，２…が設けられ、それによって円周方向に分断された吸着室１ａ，１ｂ、…、１ｈが形成され、該吸着体１は矢印Ｘ方向に回転するように構成される。そして各吸着室１ａ…１ｈには吸着剤を含有させた波形の吸着部材３が複層に積み重ねられる。
【０００９】
今、図２において例えば有機溶剤を含む原料ガスを矢印Ａａ方向から吸着体１中に流通させると、有機溶剤は吸着部材３に吸着され、その排ガス（ここでは清浄化ガス）は矢印Ａｂ方向へ導出される。この様に吸着体１において所定成分の吸着を行なう部分を吸着領域という。一方、前記吸着部材３に吸着された有機溶剤を脱着させるときは、矢印Ｅａ方向から高温の脱着用ガスを導入し吸着体１を貫通させ、吸着部材３から有機溶剤を脱着して矢印Ｅｂ方向へ導出する。この脱着を行なう部分を再生領域という。
【００１０】
また、上記吸着体は１は矢印Ｘ方向に回転するので、吸着領域と再生領域は交互に変換され、例えば吸着室１ｈで吸着された有機溶剤は吸着室１ｅに移ったところで脱着を受ける。３は吸着部材３を半径方向に積層して円柱状の吸着体１を形成すると共に、矢印Ｘ方向に回転できる様に構成し、原料ガスを矢印Ａａ−Ａｂ方向に流入すると共に、脱着用ガスをＥａ−Ｅｂ方向へ流入する様に構成している。
【００１１】
上記した様な吸着体を使ったガス吸脱着処理装置において、吸脱着効率を向上させる目的で、本出願人は先に図４（説明図）に示す様な装置を特許文献５によって提案している。即ち吸着体１には原ガス吸着領域１１と２分割された再生領域１３，１２を形成すると共に、第１再生領域１３と原ガス吸着領域１１の間に再吸着領域１４を形成する。さらに、第２再生領域１２から原ガス吸着領域１１へ移りかわる闇の位置に冷却領域２０を形成する。なお該図４において吸着体１を貫通する実線は吸着部材３に接触しながらガスが吸着体１を通過する状態を示し、一方鎖線は単に吸着部材３を避けつつ配管が接続されていることを示すものである。
【００１２】
よって、原ガス吸着領域１１においては供給ファン５ａによって原料ガスを矢印Ａ１方向へ流入させると其に、該原ガス吸着領域１１を通過した排ガスの一部を冷却領域２０の入口側に導入する。そして、矢印Ｃ方向に沿って冷却領域２０の吸着部材を通過したガスは脱着用ガスはヒーター６ａの入口側へ導入し、矢印Ｅ１方向に第２再生領域１２を流通させ、その脱着ガスはファン５ｂ、クーラー９を介して再吸着領域１４へ導入し、所定成分の吸着量を増加させておく。この結果第１再生領域１３の脱着（矢印Ｅ２に示す）排ガスは所定成分を高濃度に含んだ状態で回収できる。また、再吸着領域を通過したガスは原ガスに合流させて、再吸着領域で吸着されなかった溶剤成分を原ガス吸着処理領域で吸着して、清浄ガスとして排気する。
【００１３】
このような、回転吸着体を用いた連続吸脱着による方式は、脱着に加熱空気を用いることにより吸着体を迅速に、しかも均一に加熱できるので吸脱着効率が安定的に高くできるというメリットがある。
【００１４】
ところで、一般の有機溶剤の多くはその蒸気は可燃性であり、溶剤蒸気（ガス）と空気（酸素）との共存下においては、溶剤個々に一定の爆発限界濃度（上限、下限）が存在し、その範囲の濃度の溶剤ガスは発火源があれば爆発燃焼に至る。前記爆発燃焼範囲は溶剤種によって多少異なるものの、大体の溶剤は空気中における濃度が１〜３％の範囲が爆発下限である。
【００１５】
一方、不活性ガス（窒素等）を付加してガス中の酸素濃度を下げると爆発燃焼範囲は狭くなり、ある酸素濃度以下では、いかなる溶剤ガス組成においても不燃領域に入る。溶剤ガスが不燃領域に入る酸素濃度（限界酸素濃度）も上記爆発燃焼範囲と同様に溶剤種によって異なるが、大体の溶剤において限界酸素濃度は１０数％である（高圧ガス保安協会訳；Flammability Characteristics of Combustible Gases and Vapors,1971）。
【００１６】
前記回転吸着体を用いた連続吸脱着装置において、前記第１再生領域で脱着されたガスは溶剤を高濃度に含んだ状態であり、その濃度は原ガス濃度に対して３０〜４０倍程度となる。従って、原ガスが１０００ｐｐｍ程度の比較的低濃度の場合でも、前記再生ガス濃度は３００００ｐｐｍ（３％）以上になり、爆発下限濃度を超えることになる。従って、前記第１再生領域における脱着ガスの爆発燃焼に対する安全対策としては、該脱着ガスの酸素濃度を限界酸素濃度以下にする必要がある。通常、爆発燃焼範囲の溶剤ガス中の酸素濃度としては、安全を見て限界酸素濃度の１／３〜１／４以下（酸素濃度３％以下）で管理することが望ましく、窒素等の不活性ガスによって酸素と置換する方法が一般的である。
【００１７】
ところで、前記した回転吸着体が複数の領域を通過して吸脱着を行う吸・脱着処理装置の場合、各領域は吸着体両端面において個々独立した隔壁（ヘッダー）によって区分けがされているが、吸着体は回転しているために隣り合う領域で一定のガスのリークが生じる。また、吸着体の回転によって隣接する領域に持ち出されたり、逆に持ち込まれるガス分もあり、さらに、吸着体そのもののガス透過もあることから、ある領域を流れるガスの酸素濃度を一定以下に保つためには、所定量の窒素ガスを常に補給する必要がある。
【００１８】
前記従来溶剤吸・脱着処理装置において、可燃性溶剤ガスを処理するにあたり、前記第１再生領域に窒素を供給した時に、前記した領域問でのリークや吸着体の回転によるガスの持ち込み、持ち出し、及び吸着体のガス透過により第１再生領域とそれに隣り合う再吸着領域や第２再生領域間でガスの漏れ込み、漏れ出しが生ずる。
【００１９】
ここで、第１再生領域から漏れ出したガス（窒素）は、最終的に再吸着領域から原ガス吸着領域にリターンされる経路を経て原ガス吸着領域から清浄ガスとして外気に放出されるために、前記第１再生領域に導入する窒素は、その外気放出分以上の量を補給しなければ、第１再生領域の酸素ガス濃度を低く保つことは出来なくなるという間題点がある。
【特許文献１】特公平２−４８２８７号
【特許文献２】特開平４−３４１３１６号
【特許文献３】特開平５−３１３２２号
【特許文献４】特公昭５３−８６６４号
【特許文献５】特開平２−２４１５１６号
【発明の開示】
【発明が解決しようとする課題】
【００２０】
本発明は係る問題点に鑑みてなされたものであって、吸着材に水蒸気を直接接触させることなく吸着材を加熱し、吸着した有機溶剤成分を脱着する方法として、回転吸着体を用いた連続吸脱着方式を採用し、この方式における前記問題点を解決し、再生ガス領域での酸素ガス濃度を限界酸素濃度よりも充分低く保ち、しかも効率的な効率的な吸脱着処理を行うことができるガス吸脱着処理装置を提供することを目的とするものである。
【課題を解決するための手段】
【００２１】
本発明に係るガス吸脱着処理装置は、吸着材を含有する吸着体が、原ガス吸着領域、再吸着領域、第１再生領域、第２再生領域、冷却領域を、該記載順序で連続的又は問欠的に通過するように構成され、有機溶剤を含む原ガスを前記原ガス吸着領域に導入して前記吸着体に有機溶剤を吸着させるとともに、前記第１再生領域において吸着体から脱着された有機溶剤を含む脱着ガスを凝縮器に導入して該脱着ガス中に含まれる有機溶剤を回収するようにした吸脱着処理装置において、前記再吸着領域のガス排出側が前記冷却領域に接続され、前記冷却領域のガス排出側が前記第２再生領域に接続され、前記第２再生領域のガス排出側が前記再吸着領域に接続される循環ガス経路を形成すると共に、前記第１再生領域の脱着ガスライン中に窒素を導入することを特徴とする。
【発明の効果】
【００２２】
本発明によれば、分割された吸着領域と再生領域による吸脱着によって、吸着した有機溶剤を高度に濃縮できるので、効率的に有機溶剤を除去、回収でき、しかも非常に高純度の回収溶剤が得られるようになり、また処理対象溶剤が可燃性の場合でも、少量の窒素で安全に除去、回収できランニングコストも非常に少なくすることができる。
【発明を実施するための最良の形態】
【００２３】
図１は図３に示した円筒状吸着体１を用いた本発明ガス吸脱着処理装置の実施例を示す説明図である。図１に示す装置は図５の例と同様、円箇状吸着体１において原ガス吸着領域１１、再吸着領域１４、第１再生領域１３及び第２再生領域１２、さらに第２再生領域１２から原ガス吸着領域１１へ移りかわる問の位置に冷却領域２０が形成される。
【００２４】
吸着体としては活性炭又はゼオライト等の多孔性吸着材を担持したハニカム構造体を円筒状に加工したものや、直方体状のハニカム構造体を円筒状となるように複数個並設して構成されるものが使用される。
【００２５】
活性炭としては、発火等の危険性を高める遷移金属，アルカリ土類金属の含有量が少ないものが望ましく、不純物低減のコストを考慮すると、不純物の合計量で５〜８０００ｐｐｍの範囲にあることが望ましく、さらに望ましくは１０〜６０００ｐｐｍであり、特に好ましくは、５０〜４０００ｐｐｍである。測定は、灰化し、希硫酸で抽出し、プラズマ発光法による常法で測定可能である。
【００２６】
また、ゼオライトとしては、細孔径が７Å以上のゼオライトが望ましく、Ｘ型ゼオライトもしくはＹ型ゼオライトが好ましい。また比表面積は、５００〜１５００ｍ2／ｇの範囲のものが好ましい。
【００２７】
本発明の吸着体においては、上記活性炭及び／又はゼオライトをバインダーと共にシート状に加工し、ハニカム構造体として利用することが望ましい形態であり、シート状への加工する場合、特にゼオライトにおいては、細孔径が７Åより小さくかつ比表面積が５００ｇ／ｍ２より小さいと、バインダーの影響で、ゼオライトの細孔が被覆されて、ゼオライトの吸着性能が低下する傾向が強く望ましくない。
【００２８】
原ガス吸着領域１１には供給ファン５ａによって有機溶剤を含有する原ガスが供給される。該原ガス中の有機溶剤は該原ガス吸着領域１ユ内を通過（矢印Ａ１方向に示す）する間に吸着部材に吸着されて排気ダクト１１ａから清浄空気として排出される。
【００２９】
吸着部材が原ガス吸着領域１１に移動する前の冷却領域２０の入口側には再吸着領域１４を通過（矢印Ａ２で示す）したガスを導入し、導入されたガスが矢印Ｃ方向に沿って冷却領域２０の吸着部材を通過することによって吸着部材を冷却し、原ガス吸着領域１１で有機溶剤が吸着されやすいようにする。一方、吸着部材との熱交換によって温度が高まったガスはヒーター６ａの入口側へ導入し、第２再生領域１２における脱着用ガスとして使用する様に構成する。次に、前記第２再生領域１２を通過（矢印Ｅ１方向に示す）し、第２再生領域１２の吸着部材から有機溶剤を脱着したガスはファン５ｂを介してクーラー９に供給し、冷却した後に再吸着領域１４を流通（矢印Ａ２方向に示す）させ、第２再生領域１２で脱着した有機溶剤を吸着させ、さらに再吸着領域１４の出ロガスは冷却領域２０の入口側に循環させる。再吸着領域１４においては、原ガス吸着領域１１の後に第２再生領域１２で脱着した溶剤をさらに吸着するので、再吸着領域１４の吸着部材の吸着量を増加させることができる。この結果、次に説明する第１再生領域１３の脱着ガスは有機溶剤を高濃度に含んだ状態となる。
【００３０】
第１再生領域１３ではヒーター６ｂで加熱した窒素ガスを該第１再生領域１３に通過（矢印Ｅ２に示す）させ、該第１再生領域１３の吸着部材から有機溶剤を脱着する。脱着された有機溶剤ガスは凝縮器８へ導入され有機溶剤が凝縮回収される。なお、凝縮器８へ導入する以前に高濃度とするために、バイパス路１０及びファン５ｃを設けて凝縮器８の出口側排ガスを第１再生領域１３の入口側へ循環する経路を形成している。また、循環窒素ガスは前記したように、吸着体の回転や吸着体ガス透過によって隣接する領域に込み、該第１再生領域１３の循環ガス中の酸素濃度が上昇するので、その漏れ込み分に相当する少量の窒素をファン５ｃのサクション側に常時導入して、酸素濃度を一定以下に保つ。
【００３１】
このように、本ガス吸脱着装置は、第１再生領域１３における高濃度の濃縮回収用ガスの循環経路と冷却領域２０、第１再生領域１３、再吸着領域１４を循環する経路の２つの循環ガス経路を有しており、第１再生領域１３中の窒素ガスが隣接する領域（例えば第２再生領域１２）へ漏れ出しても、該漏れ出した窒素は、外側の第２再生領域、再吸着領域、冷却領域を循環するので、系外に漏れて回収不能となる窒素は最小限で済み、ランニングコストを低く抑えることができる。即ち、窒素を導入する第１再生領域の外側を循環している経路（第２再生領域〜再吸着領域〜冷却領域）が一種の窒素の回収リターン機能を果たしていると言える。
【００３２】
次に、本発明の実施例と比較例について説明する。
【００３３】
［実施例］
図１に示される吸脱着装置において、以下に示す条件で被処理ガスを清浄化処理し、有機溶剤を回収した。除去成分として、イソプロピルアルコール（ＩＰＡ）３０００ｐｐｍを含む温度２５℃、相対湿度５０％、被処理ガス風量６Ｎｍ3／ｍｉｎで前記吸脱着装置に供給した。
【００３４】
回転吸着体は粉末状活性炭と難燃性かつ耐熱性を有するフィブリル化した合成パルプとを抄紙して得られるシート状の活性炭ぺ一パーを段加工し、該段加エシートを９００ｍｍφの円筒ハニカム状に成形したディスク型のハニカムローターを用いた。該円筒ハニカムは、円周方向に分断された隔壁によって、原ガス吸着領域１１、再吸着領域１４、第１再生領域１３、第２再生領域１２、冷却領域２０に分割され、各々の占有角度は１８０°、７０°、５０°、３０°、３０°とした。
【００３５】
再吸着領域１４、第１再生領域１３、冷却領域２０の循環風量は２Ｎｍ3／ｍｉｎ、第１再生領域１３の循環風量は３Ｎｍ3／ｍｉｎとし、凝縮器８へ導入する風量は１．５Ｎｍ3／ｍｉｎとした。また、第１再生領域１３の循環ガス中に導入する窒素を６０Ｌ／ｍｉｎから徐々に下げて酸素濃度を測定した。第１再生領域１３及び第２再生領域１２の入ロガス温度は１３０℃に設定し、凝縮器８の出ロガス温度は１５℃となるように設定し、第１再生領域１３の脱着ガスからＩＰＡを凝縮回収した。なお、第１再生領域１３出口のＩＰＡ濃度は４００００〜５００００ｐｐｍで爆発濃度範囲内であった（ＩＰＡの場合、下限２．０ｖｏ１％、上限７．９９ｖｏ１％）。
【００３６】
第１再生領域１３に導入する窒素量を多くするほど、第１再生領域１３を循環する脱着濃縮ガスの酸素濃度は低下し、窒素量が２０Ｌ／ｍｉｎ（窒素／原ガス量比：１／３００）でも第１再生領域１３の酸素濃度は６．０％で限界酸素濃度（ＩＰＡの限界酸素濃度は１７％）の約１／３となっており、窒素量を６０Ｌ／ｍｉｎ（窒素／原ガス量比＝１／１００）に増やすと第１再生領域１３の酸素濃度は０．５％で非常に低いレベルにできる。また、除去率は９７．５％程度で安定していた。
【００３７】
［比較例］
さらに、比較例として図４に示される吸脱着装置において、前記実施例と同じ条件で被処理ガス（ＩＰＡ）を清浄化処理し、回収した。比較例の場合、第１再生領域１３を循環する脱着濃縮ガスの酸素濃度は実施例に比べて高く、窒素量が６０Ｌ／ｍｉｎでも酸素濃度は５．６％で、限界酸素濃度の１／３程度までしか到達しなかった。また、４０Ｌ／ｍｉｎでは１２．５％、２０Ｌ／ｍｉｎでは１７．２％までしか下がらなかったので、安全上ＩＰＡを含む原ガスを供給することができなかった。
【００３８】
上記のように、実施例は比較例（従来）に比べて少量の窒素量で第１再生領域１３の脱着濃縮ガス中の酸素濃度を限界酸素濃度よりも十分低くすることが可能である。これは、前記したように、従来は、再吸着領域１４を通過したガスは原ガスに合流させていたために、第１再生領域１３から持ち出された窒素は原ガス吸着領域１１を経て外部に排気されていたが、実施例では再吸着領域１４の出ロガスは冷却領域２０、第２再生領域１２、再吸着領域１４を経て循環しているので、第１再生領域１３から持ち出された窒素は系外に放出されず、第１再生領域の外側を一定以下の酸素濃度のガスが循環することによって、第１再生領域での酸素濃度上昇を抑制する効果によるものである。
【００３９】
本発明は上記実施例に限定されず、再吸着領域１４と冷却領域２０との問には圧バランス調整用に別途ファンを設けても良い。また、第２再生領域１２と原ガス吸着領域１１との問に冷却領域２０を設けずに、再吸着領域１４のガス排出側を第２再生領域１２に接続し、前記第２再生領域１２のガス排出側を前記再吸着領域に１４接続して、再吸着領域１４と第２再生領域１２で循環ガス経路を形成するようにしても良い。
【産業上の利用可能性】
【００４０】
本発明によれば、分割された吸着領域と再生領域による吸脱着によって、吸着した有機溶剤を高度に濃縮できるので、効率的に有機溶剤を除去、回収でき、しかも非常に高純度の回収溶剤が得られるようになった。また、処理対象溶剤が可燃性の場合でも、少量の窒素で安全に除去、回収できランニングコストも非常に少なくすることができる。つまり、安全性が高く、低ランニングコストの溶剤回収装置が得られる。
【図面の簡単な説明】
【００４１】
【図１】本発明の代表的な実施例を示す説明図。
【図２】従来の吸着体を示す斜視説明図。
【図３】従来の吸着体を示す斜視説明図。
【図４】従来のガス吸脱着処理装置の例を示す説明図。
【符号の説明】
【００４２】
１  ・・・  吸着体
２  ・・・  隔壁
３  ・・・  吸着部材
４ａ，４ｂ・ヘッダー部材
５ａ・・・  供給ファン
５ｂ，５ｃ・ファン
６ａ，６ｂ・ヒーター
８  ・・・  凝縮器
９  ・・・  クーラー
１０・・・  バイパス路
１１・・・  原ガス吸着領域
１２，１３・再生領域
１４・・・  再吸着領域
２０・・・  冷却領域
【図１】
2005238046.tif 000003
【図２】
2005238046.tif 000004
【図３】
2005238046.tif 000005
【図４】
2005238046.tif 000006